(57)【要約】【課題】  物品を収容した後、簡便な作業で収容部の容積を調節しながら、持ち運びに適した形態に形成可能なバッグを提供すること。【解決手段】  本発明のバッグ１は、収容物を収容した後、可撓性のシート本体２の一端２ｂに取り付けられた可動リング３を摺動させることによって、収容部２ａの容積を調整すると同時に収束部５を形成し、他端２ｃに取り付けられた固定リング４に収束部５を固定することにより、当該収束部５から取手１０を形成し、持ち運びに適した形態に形成することを可能とする。【選択図】  図１
2009165598.tif 000002
【特許請求の範囲】
【請求項１】
一端及び他端と、前記一端と前記他端との間に形成された収容部とを有する可撓性のシート本体と、
前記一端と前記他端との間を移動することで、前記シート本体を前記一端側から収束させて収束部を形成しつつ前記収容部の容積を可変する可動部材と、
前記他端に設けられ、前記収束部を取手が形成されるように固定する固定部材と
を具備するバッグ。
【請求項２】
請求項１に記載のバッグであって、
前記収容部は、前記容積の可変に伴って面積を可変される開口を有し、
前記バッグは、前記開口に沿って設けられ、前記可動部材によらずに前記開口の面積を可変する部材
をさらに具備するバッグ。
【請求項３】
請求項１に記載のバッグであって、
前記可動部材は、環状部材である
バッグ。
【請求項４】
請求項１に記載のバッグであって、
前記固定部材は、前記取手の長さを調整可能に前記収束部を固定する
バッグ。
【請求項５】
請求項１に記載のバッグであって、
前記固定部材による固定により前記取手として形成されずに余剰した前記収束部を収納するポケット
をさらに具備するバッグ。
【請求項６】
請求項５に記載のバッグであって、
前記バッグは、折りたたみ可能であり、
前記ポケットは、折りたたまれた前記バッグを収納することが可能である
バッグ。
【請求項７】
請求項１に記載のバッグであって、
前記シート本体は、前記収容部の底面に設けられ、前記収容部に収容された収容物による前記シート本体の変形を抑制する補強部材を有する
バッグ。
【請求項８】
請求項１に記載のバッグであって、
前記シート本体は、保温性を有する素材からなる
バッグ。
【請求項９】
一端及び他端と、前記一端と前記他端との間に形成された収容部とを有する可撓性のシート本体を形成し、
前記シート本体を前記一端側から収束させて収束部を形成しつつ前記収容部の容積を可変する可動部材を前記一端と前記他端との間に移動可能に設け、
前記他端に前記収束部を取手が形成されるように固定する固定部材を設ける
バッグの製造方法。
【請求項１０】
一端及び他端と、前記一端と前記他端との間に形成された収容部とを有する可撓性のシート本体に収容物を収容し、
前記シート本体の前記一端と前記他端との間に設けられた可動部材を前記一端側から前記他端側へ移動させて、前記収容部の容積を減少させつつ収束部を形成し、
前記他端に設けられた固定部材に前記収束部を固定して取手を形成する
バッグの使用方法。
【発明の詳細な説明】
【技術分野】
【０００１】
本発明は例えば購入した商品等の収容物を収容可能なバッグ、当該バッグの製造方法及び当該バッグの使用方法に関する。
【背景技術】
【０００２】
近年、スーパーマーケットその他各種店舗において買い物をする際、購入した商品を収容する手段として、店舗から提供されるレジ袋に替わり消費者が持参したバッグ（いわゆるエコバッグ）を使用する機会が増加している。
このバッグは当初から袋状に形成されたものが主流であるが、より利便性を向上させるために形態を工夫したものが提案されている。
【０００３】
例えば、下記特許文献１には、四角形のシートに第１紐２本と第２紐２本が設けられ、第１紐を使用して四角形のシートを袋状に形成し、第２の紐を取手として使用する買い物袋が記載されている。
【０００４】
また、下記特許文献２には、レジカゴの内寸法と略一致する形状に形成され、レジカゴ内に設置可能であるとともに非使用時には折りたたむことができる買い物用バッグが記載されている。
【特許文献１】実用新案登録第３１２３５１号公報
【特許文献２】特開２００３−１４４２１７号公報
【発明の開示】
【発明が解決しようとする課題】
【０００５】
しかし、上記特許文献１に記載の買い物袋は、四角形のシートを袋状に形成する際に第１紐２本をそれぞれ結ぶ作業を要し、取手を形成する際に第２紐を結ぶ作業を要する。すなわち、少なくとも３回の紐を結ぶ作業が必要となる。
また、特許文献２に記載の買い物用バッグは、非使用時には折りたたむことが可能であるが、物品収納時にはレジカゴと同等の容積及び形状となるため、持ち運びが不便である。特に収納する物品の容積が小さい場合には無駄にかさばってしまう。
そこで本発明は、物品を収容した後、簡便な作業で収容部の容積を調節しながら、持ち運びに適した形態に形成可能なバッグ、当該バッグの製造方法及び使用方法を提供することを目的とする。
【課題を解決するための手段】
【０００６】
上述の課題を解決するため、本発明の主たる観点に係るバッグは、一端及び他端と、前記一端と前記他端との間に形成された収容部とを有する可撓性のシート本体と、前記一端と前記他端との間を移動することで、前記シート本体を前記一端側から収束させて収束部を形成しつつ前記収容部の容積を可変する可動部材と、前記他端に設けられ、前記収束部を取手が形成されるように固定する固定部材とを具備する。
【０００７】
この構成によれば、可撓性のシート本体のうち、物品の収容に使用されない部分を、一端から可動部材で束ねていく、すなわち収束させることによって、収容部の容積を収容物の容積に合わせて可変することができ、同時に収束によって形成された収束部を他端に設けられた固定部材によって固定することで、取手を形成することができる。
すなわち、収容部の容積の調整と、取手の形成を同時に行うことが可能である。
したがって、物品を収容した後、簡便な作業で収容部の容積を調節しながら、持ち運びに適した形態に形成可能なバッグを得ることができる。
【０００８】
前記バッグにおいて、前記収容部は、前記容積の可変に伴って面積を可変される開口を有し、前記バッグは、前記開口に沿って設けられ、前記可動部材によらずに前記開口の面積を可変する部材を具備してもよい。
【０００９】
この部材により上記収束による開口の収縮とは別に、開口を任意に収縮させることができる。特に収容物の容積が大きく、開口の面積が大きい場合に、バッグをより持ち運びに適した形態に形成することができる。
【００１０】
また前記バッグにおいて、前記可動部材は、環状部材としてもよい。
【００１１】
環状部材は、その環内に上記シート本体を通すことによって、収束部を容易に形成することが可能である。
【００１２】
また前記バッグにおいて、前記固定部材は、前記取手の長さを調整可能に前記収束部を固定してもよい。
【００１３】
この固定部材によれば、収束部を任意の長さで固定し、取手を形成することが可能である。つまり、上記可動部材によって取手の長さが固定されることなく、取手を持ち運びし易い長さに形成することができる。
【００１４】
前記バッグは、前記固定部材による固定により前記取手として形成されずに余剰した前記収束部を収納するポケットをさらに具備してもよい。
【００１５】
これにより、余剰した収束部によって体裁が損なわれたり、余剰した収束部が持ち運びの邪魔となったりすることを防止することができる。
【００１６】
また、前記バッグは、折りたたみ可能であり、前記ポケットは、折りたたまれた前記バッグを収納することが可能なものとすることができる。
【００１７】
この構成により、当該バッグを非使用時に折りたたんで携帯する際、携帯し易くすることが可能である。
【００１８】
前記バッグにおいて、前記シート本体は、前記収容部の底面に設けられ、前記収容部に収容された収容物による前記シート本体の変形を抑制する補強部材を有していてもよい。
【００１９】
この補強部材によって収容物の形状による収容部の変形を抑制することができ、また、収容部の重量によるシート本体への物理的負荷を軽減することが可能である。
【００２０】
また、前記バッグにおいて、前記シート本体は、保温性を有する素材からなるものとすることができる。
【００２１】
これにより、収容物を保温することができる。
【００２２】
本発明の別の観点に係るバッグの製造方法は、一端及び他端と、前記一端と前記他端との間に形成された収容部とを有する可撓性のシート本体を形成し、前記シート本体を前記一端側から収束させて収束部を形成しつつ前記収容部の容積を可変する可動部材を前記一端と前記他端との間に移動可能に設け、前記他端に前記収束部を取手が形成されるように固定する固定部材を設けるものである。
【００２３】
本発明のさらに別の観点に係るバッグの使用方法は、一端及び他端と、前記一端と前記他端との間に形成された収容部とを有する可撓性のシート本体に収容物を収容し、前記シート本体の前記一端と前記他端との間に設けられた可動部材を前記一端側から前記他端側へ移動させて、前記収容部の容積を減少させつつ収束部を形成し、前記他端に設けられた固定部材に前記収束部を固定して取手を形成するものである。
【発明の効果】
【００２４】
以上のように、本発明によれば、物品を収容した後、簡便な作業で収容部の容積を調節しながら、持ち運びに適した形態に形成可能なバッグ、当該バッグの製造方法及び使用方法を提供することができる。
【発明を実施するための最良の形態】
【００２５】
以下、本発明の実施の形態を図面に基づき説明する。
【００２６】
図１は収容物の非収容時における本発明の一実施形態に係るバッグの外観を示す斜視図である。
図２は収容物の収容時におけるバッグの外観を示す斜視図である。
両図に示すように、バッグ１は、シート本体２、可動リング（可動部材）３、固定リング（固定部材）４を有する。
【００２７】
シート本体２は可撓性を有する素材により形成される。この素材は、織布地、不織布地、合成樹脂など可撓性を有するものであれば種類を問わないが、耐久性、耐水性等があるものがより好ましい。また、複数の素材を結合して形成することもできる。保温性を有する素材を使用することにより、収容物を保温することも可能である。
【００２８】
図１に示すように、シート本体２の中央部には、収容部２ａが形成されている。またシート本体２は、その長手方向の対向する位置に一端２ｂ、他端２ｃを有する。収容部２ａは、開口部２ｄを有し、収容物を収容し易いように凹状に形成される。
シート本体２には、収容物による変形を抑制する補強部材として、一端２ｂ及び他端２ｃ間に、２本のワイヤー８が設けられている。このワイヤー８は金属、合成樹脂等の強度が高い材料でなることが好ましい。
【００２９】
図１に示すように、一端２ｂには可動部材としての可動リング３が設けられる。可動リング３は、その環内にシート本体２を挿通した状態で、同図矢印Ａ方向に摺動可能となっている。この可動リング３は、金属、合成樹脂等で形成することができる。当該可動リング３は、シート本体２と摺動する必要があるため、シート本体２の材質に対して摩擦係数が低く、耐久性が高い材料からなる。
【００３０】
詳細は後述するが、可動リング３にシート本体２が挿通した状態で可動リング３を上記矢印Ａ方向に摺動させると、シート本体２が収束され、収束部５が形成される。可動リング３の内径は、収束部５が形成できる程度に小さく形成され、また一端２ｂの短手方向の幅Ｆよりも小さく形成される。これにより、一端２ｂが可動リング３のストッパーとなり、可動リング３がシート本体２から外れてしまうのを防いでいる。当該内径は例えば５ｃｍ程度であるが、これに限られず、シート本体２の大きさに応じて適宜変更可能である。
【００３１】
図１及び図２に示すように、他端２ｃには、固定部材としての固定リング４が設けられている。この固定リング４は、２本のリングからなる。固定リング４の２本のリングは、シート本体２に例えば縫合により接続された端部カバー１１の一辺に、同一軸で回動自在に支持されている。固定リング４は、この２本のリングが上記収束部５を通して挟み込むことで、収束部５を固定できるようになっている。固定リング４は、強度を有する金属、合成樹脂等で形成することができる。
図２に示すように、固定リング４に固定された収束部５は、取手１０を形成する。
【００３２】
図１及び図２に示すように、当該バッグ１は、収容部５の開口部２ｄに沿って設けられた管状の紐通し部７を有する。紐通し部７は、シート本体２を折り、縫い留める等して形成される。
紐通し部７には、紐６が挿通される。紐６は、例えば繊維、合成樹脂等の材料からなり、シート本体２を絞ることによって、開口部２ｄの面積を可変することができる。また、紐６には、絞った紐６を固定するための紐留めクリップ１３が設けられる。紐留めクリップ１３は、その内部に紐６を挿通可能な孔と、当該孔を開閉するための、例えばばね等の弾性部材（図示せず）を有し、紐６を固定することが可能となっている。
【００３３】
図２に示すように、シート本体２の他端２ｃ側の背面（収容物の収容時においては側面）には、ポケット９が設けられている。このポケット９には、比較的小さい収容物（小物）のほか、取手１０として形成されずに余剰した、収束部５の余剰部５ａを収納することが可能となっている。
【００３４】
次に、本実施形態のバッグ１の動作について説明する。ここでは、バッグ１を、非使用時の状態から、買物時に収容物を収容し持ち運び可能な状態に形成させる手順について、図１から図７を参照しながら説明する。
図３は、バッグ１の非使用時の外観を示す平面図である。
図４は、バッグ１をレジカゴに配置した状態の外観を示す斜視図である。
図５は、バッグ１を収束させている状態の外観を示す斜視図である。
図６は、バッグ１の取手を形成した状態の外観を示す斜視図である。
図７は、バッグ１を持ち運ぶ際の外観を示す斜視図である。
図８は、バッグ１を非使用時に折りたたむ様子を示す斜視図である。図８（Ａ）はバッグ１の一部を折りたたんだ状態、図８（Ｂ）はバッグ１をポケットに収納した状態をそれぞれ示す。
【００３５】
図３に示すように、非使用時にはバッグ１の開口部２ｄは閉じた状態となっている。この状態から、使用者は開口部２ｄを矢印Ｂ方向に開き、図１に示す収容部２ａを形成する。
続いて、使用者は、図１に示す状態のバッグ１を図４に示すようにレジカゴＣに被せ、レジカゴＣの内面形状に適合するように設置する。
この状態で使用者は収容物（商品）を収容部２ａに収容する。
【００３６】
続いて、図５に示すように、使用者は可動リング３を一端２ｂから他端２ｃに向けて摺動させる。これにより、一端２ｂから可動リング３までの間に収束部５が形成されると同時に、収容部２ａの容積が減少する。収容部２ａの容積は、収容物の容積や形状に合わせて適宜調整される。
【００３７】
続いて、図６に示すように、使用者は形成された収束部５を、一端２ｂ側から固定リング４に挿通させ、収束部５を、持ち運びし易い長さの取手１０が形成されるように調節し、固定リング４で固定する。
続いて、図２に示すように、使用者は紐６によりシート本体２を絞り、開口部２ｄの面積を調整し、紐６を紐留めクリップ１３により固定する。
続いて、図７に示すように、使用者は取手１０として形成されずに余剰した、収束部５の余剰部５ａをポケット９に収納する。
以上の手順によって、図７に示すように、バッグ１を持ち運び可能な状態に形成することができる。
【００３８】
また、使用者は、当該バッグ１の非使用時には、バッグ１を折りたたむことができる。
この場合は、開口部２ｄが閉じた状態から、さらに、シート本体２が短手方向に細くなるように折る。次に、図８（Ａ）に示すように、使用者は、一端２ｂから長手方向に短くなるように折りたたんで行き、図８（Ｂ）に示すように、他端２ｃまで折りたたんだところで、ポケット９にシート本体２を収納する。
【００３９】
次に、本実施形態のバッグ１の製造方法について説明する。
【００４０】
図９は、紐６が挿通されたシート本体２の平面図である。
図１０は、折り重ねられたシート本体２の平面図である。
図１１は、一端２ｂを折り留められたシート本体２の平面図である。
図１２は、可動リング３を取り付けられたシート本体２の平面図である。
図１３は、固定リング４を取り付けられたシート本体２の平面図である。図１３（Ａ）は表面（開口部２ｄを有する面）、図１３（Ｂ）は裏面をそれぞれ示す。
【００４１】
図９に示すように、製造者はまず、矩形のシート本体２の長手方向の対向する２辺を内側（短手方向）へそれぞれ折り、縫い留める等して管状の紐通し部７を形成する。
続いて、製造者はそれぞれの紐通し部７に、他端２ｃから所定の間隔Ｅを空けて孔２ｅを設ける。
続いて、製造者はそれぞれの紐通し部７の一端２ｂから孔２ｅ間に紐６を挿通し、孔２ｅから紐通し部７の外側に伸ばす。
【００４２】
続いて、図９及び図１０に示すように、製造者はシート本体２を折り線Ｄ１で谷折りし、折り線Ｄ２で山折りし、折り線Ｄ３で谷折りすることによって折り重ねる。
続いて、図１１に示すように、製造者はシート本体２を、一端２ｂを内側へ折り、縫い留める等して紐６と共に固定する。
【００４３】
続いて、図１２に示すように、製造者はシート本体２を可動リング３の環内に挿通する。上述したように、可動リング３の内径は、一端２ｂの折り返し部分の幅より小さいため、可動リング３が一端２ｂから抜けないようになっている。
続いて、製造者はシート本体２を他端２ｃ近傍で纏め、図１３（Ａ）及び図１３（Ｂ）に示すように、端部カバー１１を縫い留める等して取り付ける。また、製造者は、２本のリングからなる固定リング４を、端部カバー１１の、シート本体２が取り付けられている側と反対側に、軸を同一とし回動自在に設置する。
続いて、製造者は、図１３（Ｂ）に示すように、シート本体２の裏面の、他端２ｃの近傍にポケット９を設ける。
【００４４】
続いて、製造者は、図３に示すように、紐留めクリップ１３を紐６に取り付ける。
以上の製造方法により、本実施形態のバッグ１が製造される。
【００４５】
本発明に係る実施の形態は、以上説明した実施の形態に限定されず、他の種々の実施形態が考えられる。
【００４６】
シート本体２の形状は、上述した矩形に限られず、後述の収容部２ａの形成方法を考慮して適宜選択される。例えば、シート本体２は、楕円形、菱形等であってもよく、また、複数の部材からなってもよい。
図１４は、本発明の別の実施形態のバッグの、シート本体２の斜視図である。
上述の実施形態では、シート本体２における収容部２ａの形成方法として、平面状の部材を折り重ねる方法を示した。しかし、収容部２ａはこれに限定されず、例えば、図１４に示すように、一枚あるいは複数枚の部材を中央が凹状になるように縫い止める等することによっても形成される。このように、収容部の形成方法、収容部の深さ、開口部２ｄの面積は収容物の容積等に合わせて適宜変更される。
【００４７】
上述の実施形態においては、前述の補強部材として、２本のワイヤー８を示したが、他の構成とすることも可能である。ワイヤー８の本数は適宜変更してもよく、図１のワイヤー８に対して直交する方向、あるいは、網目状等に配置してもよい。当該補強部材はワイヤーに限らず、例えば樹脂製や紙製の板部材等、補強効果のある材料によって形成されることができる。
【００４８】
図１５は、本発明のさらに別の実施形態のバッグの、シート本体２の平面図である。
上述の実施形態では、シート本体２の長手方向に２本の紐６を設けた構成を示した。しかし、紐の数や設置方向は、適宜変更可能である。例えば、図１５に示すように、シート本体２の短手方向に、複数の可撓性を有する筒状部材１４を平行に取り付け、その内部に紐１５（またはゴム等）を挿通させ、当該紐１５の両端をシート本体２の短手方向に伸ばした構造とすることが可能である。この場合も、各紐１５には、上述の実施形態と同様の紐留めクリップを設けることができる。この構成により、収容部２ａへの収容物収容後に、短手方向にシート本体２を絞ることができ、収容部２ａのサイズを容易に変更したり、収容部２ａを複数の収容領域に分割したりすることが可能となる。
また、この構成により、可動部材により収束部を形成する際および固定部材により取手を形成する際に、当該筒状部材１４が、可動部材及び固定部材と当接することで、収束部及び取手のストッパーとして機能する。これにより、バッグ１をより安定した状態で持ち運びすることができる。
【００４９】
上述の実施形態においては、可動部材として可動リング３を示したが、これに限られない。例えば、一部が欠損した（連環していない）リングを可動部材として使用しても、収束部５が形成され得る。また、円形の環状部材ではなく、矩形やその他の多角形の環状部材を用いることもできる。また、リングのような環状部材に限らず、筒状部材を使用してもよい。筒状部材を使用した場合、シート本体２との接触面積が環状部材の場合に比して大きいため、収束部５を形成した後、その位置が維持され易くなる。
さらに、この筒状部材を、その一端と他端とで径の異なるテーパー環形状とすることが可能である。この場合、テーパー環は、その径が小さい側が一端２ｂ側に配置される。この構成とすることによって、より容易に収束部５を形成することが可能となる。
【００５０】
上述の実施形態においては、固定部材として、２本のリングからなる固定リング４を示したが、この構成に限られない。例えば、面ファスナー、服飾用ベルト固定具等を用いてもよい。また、収束部５上に単独で、あるいは間欠的に複数設けられた留め具等と共同して固定する構造とすることができ、この場合マグネット式、嵌合式等のものを使用することができる。
【００５１】
上述の実施形態においては、開口部２ｄの面積を調整する手段として、紐６を示したが他の構成とすることも可能である。例えば、開口部２ｄに沿って設けられたボタン、線ファスナー、面ファスナー等を使用してもよい。また、収容部２ａの容積等によっては、開口部２ｄの面積を調整する手段を設けないこともできる。
上述の紐留めクリップ１３も当然に、他の手段によって代替することができる。
【００５２】
上述の実施形態においては、ポケット９は、バッグ１全体を収納することができるように形成されたものを示したが、この構成に限られない。例えば、取手１０として形成されずに余剰した収束部５の余剰部５ａのみを収納することができるように形成してもよい。また、ポケット９を形成しないことも可能である。また、このポケット９には、例えば生もの等、使用者がバッグ１の他の収容物（商品）とは分けて収容したい物等を収容するための、比較的小さい付属バッグが収納されていてもよい。さらに、収容部２ａの内側に、例えば小物等を収容可能なポケットを別途設けても構わない。
【図面の簡単な説明】
【００５３】
【図１】本発明の一実施形態に係るバッグの収容物の非収容時における外観を示す斜視図である。
【図２】本発明の一実施形態に係るバッグの収容時におけるバッグの外観を示す斜視図である。
【図３】本発明の一実施形態に係るバッグの非使用時の外観を示す平面図である。
【図４】本発明の一実施形態に係るバッグをレジカゴに配置した状態の外観を示す斜視図である。
【図５】本発明の一実施形態に係るバッグを収束させている状態の外観を示す斜視図である。
【図６】本発明の一実施形態に係るバッグの取手を形成した状態の外観を示す斜視図である。
【図７】本発明の一実施形態に係るバッグを持ち運ぶ際の外観を示す斜視図である。
【図８】本発明の一実施形態に係るバッグを非使用時に折りたたむ様子を示す斜視図である。
【図９】本発明の一実施形態において、紐が挿通されたシート本体の平面図である。
【図１０】本発明の一実施形態において、折り重ねられたシート本体の平面図である。
【図１１】本発明の一実施形態において、一端を折り留められたシート本体の平面図である。
【図１２】本発明の一実施形態において、可動リングを取り付けられたシート本体の平面図である。
【図１３】本発明の一実施形態において、固定リングを取り付けられたシート本体の平面図である。
【図１４】本発明の別の実施形態に係るバッグの、シート本体の斜視図である。
【図１５】本発明のさらに別の実施形態に係るバッグの、シート本体の平面図である。
【符号の説明】
【００５４】
１…バッグ
２…シート本体
２ａ…収容部
２ｂ…一端
２ｃ…他端
２ｄ…開口部
３…可動リング
４…固定リング
５…収束部
５ａ…余剰部
６…紐
８…補強部材
９…ポケット
１０…取手
【図１】
2009165598.tif 000003
【図２】
2009165598.tif 000004
【図３】
2009165598.tif 000005
【図４】
2009165598.tif 000006
【図５】
2009165598.tif 000007
【図６】
2009165598.tif 000008
【図７】
2009165598.tif 000009
【図８】
2009165598.tif 000010
【図９】
2009165598.tif 000011
【図１０】
2009165598.tif 000012
【図１１】
2009165598.tif 000013
【図１２】
2009165598.tif 000014
【図１３】
2009165598.tif 000015
【図１４】
2009165598.tif 000016
【図１５】
2009165598.tif 000017